(57)【特許請求の範囲】
【請求項１】
熱源機に接続される熱媒往路及び熱媒復路と、前記熱媒往路からそれぞれ分岐されて熱媒復路に合流する温風用熱媒流路及びミスト用熱媒流路と、前記温風用熱媒流路の途中に直列に配設される温風用制御弁及び温風用熱交換器と、前記ミスト用熱媒流路の途中に直列に配設されるミスト用制御弁及びミスト用熱交換器と、ミストサウナ用の温水を噴霧するミストノズルと、給水源と前記ミストノズルとに接続されると共に途中に前記ミスト用熱交換器が配設されてその熱媒の熱にて温水を生成するミスト用給水路と、ミスト用給水路の前記ミスト用熱交換器の上流側に前記ミスト用熱交換器と直列に配設される給水弁及び下流側に前記ミスト用熱交換器と直列に配設されるノズル弁と、ミスト用給水路のノズル弁とミスト用熱交換器との間から分岐されて途中に排水弁を配設したミスト用排水路とを備え、温風吐出運転時には温風用制御弁を開いて温風用熱交換器に高温の熱媒を供給することで温風を吐出し、ミスト噴霧運転時にはミスト用制御弁を開いてミスト用熱交換器に高温の熱媒を供給すると共に給水弁及びノズル弁を開いてミスト用熱交換器に供給された高温の熱媒との熱交換によって生成した温水をミストノズルより浴室内に噴霧するように制御する制御部を備えたミストサウナ装置において、ミスト噴霧運転を行わない、給水弁及びノズル弁を閉じている時に給水弁及びノズル弁を閉じた状態で排水弁を開いてミスト用給水路内の残水を排水することを特徴とするミストサウナ装置。
【請求項２】
熱源機に接続される熱媒往路及び熱媒復路と、前記熱媒往路からそれぞれ分岐されて熱媒復路に合流する温風用熱媒流路及びミスト用熱媒流路と、前記温風用熱媒流路の途中に直列に配設される温風用制御弁及び温風用熱交換器と、前記ミスト用熱媒流路の途中に直列に配設されるミスト用制御弁及びミスト用熱交換器と、ミストサウナ用の温水を噴霧するミストノズルと、給水源と前記ミストノズルとに接続されると共に途中に前記ミスト用熱交換器が配設されてその熱媒の熱にて温水を生成するミスト用給水路と、ミスト用給水路の前記ミスト用熱交換器の上流側に前記ミスト用熱交換器と直列に配設される給水弁及び下流側に前記ミスト用熱交換器と直列に配設されるノズル弁と、ミスト用給水路のノズル弁とミスト用熱交換器との間から分岐されて途中に排水弁を配設したミスト用排水路とを備え、温風吐出運転時には温風用制御弁を開いて温風用熱交換器に高温の熱媒を供給することで温風を吐出し、ミスト噴霧運転時にはミスト用制御弁を開いてミスト用熱交換器に高温の熱媒を供給すると共に給水弁及びノズル弁を開いてミスト用熱交換器に供給された高温の熱媒との熱交換によって生成した温水をミストノズルより浴室内に噴霧するように制御する制御部を備えたミストサウナ装置において、ミスト噴霧運転を行わない、給水弁及びノズル弁を閉じている時に給水弁及びノズル弁を閉じた状態で熱媒往路に備える熱媒の温度を計測する熱媒温度センサーが所定温度以上を計測すると排水弁を開いてミスト用給水路内の残水を排水することを特徴とするミストサウナ装置。
【発明の詳細な説明】
【技術分野】
【０００１】
本発明は、ミストサウナ装置に関するものである。
【背景技術】
【０００２】
従来から、ミストサウナ装置が知られており（例えば特許文献１参照）、浴室内に温風を吐出する温風吐出運転と、浴室内にミスト状の温水を噴霧してサウナを行うミスト噴霧運転とを行うことができるものである。
【０００３】
ミストサウナ装置は、図７に示すように、熱媒の流路２として、熱源機１に接続される熱媒往路２ａ及び熱媒復路２ｂ、前記熱媒往路２ａからそれぞれ分岐されて熱媒復路２ｂに合流する暖房用熱媒流路２１及びミスト用熱媒流路２２を備えている。そして、暖房用熱媒流路２１の途中には暖房用制御弁３１及び暖房用熱交換器３２が配設され、ミスト用熱媒流路２２の途中にはミスト用制御弁４１及びミスト用熱交換器４２が配設され、これらの各熱交換器には各制御弁によって熱媒を独立して供給可能となっており、暖房用熱交換器３２で暖房すると共にミスト用熱交換器４２でミストサウナ用の温水を生成するものである。
【０００４】
ミストサウナ用の温水を生成するための水の流路としてミスト用給水路５が設けてあり、ミスト用給水路５の上流端は水道等の給水源に接続され、下流端には温水を噴霧するミストノズル５３が設けてある。このミスト用給水路５の途中には、上流側より給水弁５１、上記ミスト用熱交換器４２、ノズル弁５２が設けてあり、ミスト用熱交換器４２を通る際にその熱媒の熱にて温水が生成されるものである。また、ミスト用給水路５のミスト用熱交換器４２とノズル弁５２との間からはミスト用排水路６が分岐してあり、その途中に設けた排水弁６１を適宜開閉することでミスト用給水路５内の残水を排水することができるものである。
【０００５】
ところで、このミストサウナ装置においては、ミスト噴霧運転を行わない時には、給水弁５１及びノズル弁５２、排水弁６１を閉じると共に、ミスト用制御弁４１を閉じて熱媒のミスト用熱交換器４２への供給を停止していたのであるが、このミスト用制御弁４１に異物が付着したりして開故障（開いたまま閉じられない状態となる故障）が発生する惧れがあるものであった。
【０００６】
開故障が発生した状態で温風吐出運転のみを行うと、ミスト用給水路５に水が供給されていない状態でミスト用熱交換器４２に熱媒が供給されることとなり、ミスト用給水路５内の残水が加熱されてしまう。この時、上述したように給水弁５１、ノズル弁５２、排水弁６１を閉じていて給水元栓には逆止機能があるため、加熱される部分は密閉された状態となり、この密閉された部分に充満している水が加熱により膨張すると加圧によりノズル弁５２が開かないといった動作不良やこれに伴うミスト噴霧不良、更には各弁や配管、配管継手を破損してしまう惧れがあるものであった。
【発明の開示】
【発明が解決しようとする課題】
【０００７】
本発明は上記の従来の問題点に鑑みて発明したものであって、その目的とするところは、ミスト用熱交換器に熱媒を供給するためのミスト用熱媒流路のミスト用制御弁が開故障となった状態で温風吐出運転のみを行っても、ミスト用給水管のミスト用熱交換器が配設された部分が密閉された状態となってこの内部の残水が加熱されて膨張してしまうことによるノズル弁５２が開かないといった動作不良やこれに伴うミスト噴霧不良、更に弁、配管、配管継手の破損を防止することができるミストサウナ装置を提供することを課題とするものである。
【課題を解決するための手段】
【０００８】
前記課題を解決するために本発明の請求項１に係る発明にあっては、熱源機１に接続される熱媒往路２ａ及び熱媒復路２ｂと、前記熱媒往路２ａからそれぞれ分岐されて熱媒復路２ｂに合流する温風用熱媒流路２１ａ及びミスト用熱媒流路２２と、前記温風用熱媒流路２１ａの途中に直列に配設される温風用制御弁３１ａ及び温風用熱交換器３２ａと、前記ミスト用熱媒流路２２の途中に直列に配設されるミスト用制御弁４１及びミスト用熱交換器４２と、ミストサウナ用の温水を噴霧するミストノズル５３と、給水源と前記ミストノズル５３とに接続されると共に途中に前記ミスト用熱交換器４２が配設されてその熱媒の熱にて温水を生成するミスト用給水路５と、ミスト用給水路５の前記ミスト用熱交換器４２の上流側に前記ミスト用熱交換器４２と直列に配設される給水弁５１及び下流側に前記ミスト用熱交換器４２と直列に配設されるノズル弁５２と、ミスト用給水路５のノズル弁５２とミスト用熱交換器４２との間から分岐されて途中に排水弁６１を配設したミスト用排水路６とを備え、温風吐出運転時には温風用制御弁３１ａを開いて温風用熱交換器３２ａに高温の熱媒を供給することで温風を吐出し、ミスト噴霧運転時にはミスト用制御弁４１を開いてミスト用熱交換器４２に高温の熱媒を供給すると共に給水弁５１及びノズル弁５２を開いてミスト用熱交換器４２に供給された高温の熱媒との熱交換によって生成した温水をミストノズル５３より浴室Ｂ内に噴霧するように制御する制御部を備えたミストサウナ装置において、ミスト噴霧運転を行わない、給水弁５１及びノズル弁５２を閉じている時に給水弁５１及びノズル弁５２を閉じた状態で排水弁６１を開いてミスト用給水路５内の残水を排水することを特徴とするものである。
【０００９】
このような構成によれば、仮にミスト用制御弁４１が開故障していても、排水弁６１を開くことでミスト用給水路５を開放し、膨張した水がミスト用排水路６から逃げることができて圧抜きが行われ、加圧によりノズル弁５２が開かないといった動作不良やこれに伴うミスト噴霧不良、更に弁や配管、配管継手等の破損を防止することができるものである。
【００１０】
また、請求項２に係る発明にあっては、熱源機１に接続される熱媒往路２ａ及び熱媒復路２ｂと、前記熱媒往路２ａからそれぞれ分岐されて熱媒復路２ｂに合流する温風用熱媒流路２１ａ及びミスト用熱媒流路２２と、前記温風用熱媒流路２１ａの途中に直列に配設される温風用制御弁３１ａ及び温風用熱交換器３２ａと、前記ミスト用熱媒流路２２の途中に直列に配設されるミスト用制御弁４１及びミスト用熱交換器４２と、ミストサウナ用の温水を噴霧するミストノズル５３と、給水源と前記ミストノズル５３とに接続されると共に途中に前記ミスト用熱交換器４２が配設されてその熱媒の熱にて温水を生成するミスト用給水路５と、ミスト用給水路５の前記ミスト用熱交換器４２の上流側に前記ミスト用熱交換器４２と直列に配設される給水弁５１及び下流側に前記ミスト用熱交換器４２と直列に配設されるノズル弁５２と、ミスト用給水路５のノズル弁５２とミスト用熱交換器４２との間から分岐されて途中に排水弁６１を配設したミスト用排水路６とを備え、温風吐出運転時には温風用制御弁３１ａを開いて温風用熱交換器３２ａに高温の熱媒を供給することで温風を吐出し、ミスト噴霧運転時にはミスト用制御弁４１を開いてミスト用熱交換器４２に高温の熱媒を供給すると共に給水弁５１及びノズル弁５２を開いてミスト用熱交換器４２に供給された高温の熱媒との熱交換によって生成した温水をミストノズル５３より浴室Ｂ内に噴霧するように制御する制御部を備えたミストサウナ装置において、ミスト噴霧運転を行わない、給水弁５１及びノズル弁５２を閉じている時に給水弁５１及びノズル弁５２を閉じた状態で熱媒往路２ａに備える熱媒の温度を計測する熱媒温度センサーＳ２が所定温度以上を計測すると排水弁６１を開いてミスト用給水路５内の残水を排水することを特徴とするものである。
【００１１】
このような構成によれば、仮にミスト用制御弁４１が開故障していても、排水弁６１を開くことでミスト用給水路５を開放し、膨張した水がミスト用排水路６から逃げることができて圧抜きが行われ、加圧によりノズル弁５２が開かないといった動作不良やこれに伴うミスト噴霧不良、弁や配管、配管継手等の破損を防止することができるのに加えて、消費電力を抑えることができる。
【発明の効果】
【００１２】
本発明に係るミストサウナ装置は、排水弁を開くことでミスト用給水路を開放し、膨張した水がミスト用排水路から逃げることができて圧抜きが行われ、加圧によりノズル弁が開かないといった動作不良やこれに伴うミスト噴霧不良、更に弁や配管、配管継手等の破損を防止することが可能となり、メンテナンスの手間が省けると共に長寿命化を図ることができる。
【発明を実施するための最良の形態】
【００１３】
以下、本発明を添付図面に示す実施形態に基いて説明する。
【００１４】
ミストサウナ装置は、図１、図２に示すように、浴室Ｂの天井部に設置されるミスト噴霧装置４と制御部、暖房装置３、浴室Ｂ外に設置される熱源機１とで主体が構成される。暖房装置３は、浴室Ｂの天井部に設置される温風暖房装置３０であるが、本実施形態では更に暖房装置３としてミストサウナ装置とは別に床暖房等の暖房端末（図示せず）を設けてあり、熱源機１を共用している。温風暖房装置３０は浴室Ｂ内に温風を吐出し、暖房端末は居室等の部屋を暖房し、ミスト噴霧装置４は浴室Ｂ内に温水をミスト状に噴霧するもので、いずれも熱源機１からの熱媒によって温風、温水を生成するものである。また、浴室Ｂの内壁面と脱衣室の壁面とにはそれぞれには浴室リモコンＲ１と脱衣室リモコンＲ２とが設けてあり、これらのリモコンＲは制御部に接続される。また、暖房装置３及びミスト噴霧装置４に使用される後述する弁、ファン、ルーバー等の機器、熱源機１も制御部に接続され、これらは制御部によって制御される。なお、熱源機１は給湯機能付きの熱源機１であってもよく、またリモコンＲは有線、無線のいずれであってもよく、特に限定されないものである。
【００１５】
暖房装置３及びミスト噴霧装置４は、熱源機１から供給される熱媒の流路を備えている。本実施形態では熱媒として湯を使用するもので、熱源機１から高温の湯を供給する熱媒往路２ａ及び、熱源機１に低温となった湯を戻す熱媒復路２ｂを配置し、この熱媒往路２ａに暖房用熱媒流路２１及びミスト用熱媒流路２２の上流側の端部を接続すると共に、これらの下流側の端部を熱媒復路２ｂに接続してそれぞれ熱媒の流路を形成している。本実施形態では、暖房用熱媒流路２１として温風暖房装置３０に熱媒を搬送する温風用熱媒流路２１ａと、暖房端末に熱媒を搬送する暖房端末用熱媒流路２１ｂとがそれぞれ熱媒往路２ａから分岐するとともに熱媒復路２ｂに合流している。これにより、熱源機１から熱媒往路２ａを介して供給される熱媒は、暖房用熱媒流路２１とミスト用熱媒流路２２のいずれかに分岐されると共に、再び熱媒復路２ｂに合流して熱源機１へと戻される。
【００１６】
温風暖房装置３０に配設される温風用熱媒流路２１ａの途中には、上流側より熱媒の供給を制御する熱動弁からなる温風用制御弁３１ａ（暖房用制御弁３１）と、熱媒の熱により温風を生成する温風用熱交換器３２ａ（暖房用熱交換器３２）とが配設してある。また、温風暖房装置３０の浴室Ｂ内に面する部分に浴室Ｂ内の空気を吸入する吸入口７１及び空気を吐出する吐出口７２を形成すると共に、吸入口７１から吐出口７２に至る空気流路７を温風暖房装置３０内に形成し、この空気流路７の途中に該空気流路７を流れる空気を加熱するための上述した温風用熱交換器３２ａを配設すると共に空気を搬送するための循環ファン７３を配設してある。また、空気流路７内の空気を前記吐出口７２とは別の排出口８１から浴室Ｂ外へ排出するための換気経路８及び換気ファン８２が設けてある。また、吸入口７１の近傍には浴室Ｂ内の気温を計測するサーミスタ等からなる浴室温度センサーＳ１が設けてあり、熱媒往路２ａには熱媒の温度を計測するサーミスタ等からなる熱媒温度センサーＳ２が設けてあり、計測した温度は制御部にて認識される。図１中の符号７１ａは吸入口７１に設けるグリル部、７２ａは吐出口７２に設けて電動で吐出口７２の開閉と吐出方向の調整を行うルーバーである。
【００１７】
暖房端末に接続される暖房端末用熱媒流路２１ｂの途中には、熱媒の供給を制御する暖房端末用制御弁３１ｂと、図示しないが暖房端末用の放熱器（例えば床暖房の場合には温水マット等からなる放熱器）とが配設してあり、暖房端末用の放熱器にて床暖房や室内の空気を加熱する等の暖房を行うものである。
【００１８】
ミスト噴霧装置４に配設されるミスト用熱媒流路２２の途中には、上流側より熱媒の供給を制御する水比例弁からなるミスト用制御弁４１と、伝熱プレートからなる液々熱交換器であるミスト用熱交換器４２とが配設してある。また、ミスト噴霧装置４には、ミスト用の温水を生成するための水の流路としてミスト用給水路５が設けてある。ミスト用給水路５の上流端は水道等の給水源に接続されると共に下流端には温水を噴霧するミストノズル５３が設けてあり、途中には上流側より給水弁５１、熱媒の熱により温水を生成する上記ミスト用熱交換器４２、ノズル弁５２が設けてある。また、ミスト用給水路５のミスト用熱交換器４２とノズル弁５２との間からはミスト用排水路６が分岐してあり、その途中に設けた排水弁６１を適宜開閉することでミスト用給水路５内の残水を排水することができる。なお、排水弁６１はバキュームブレーカー付きで、ミスト用排水路６内の水を排水する際にミスト用給水路５側に逆流するのを防止している。また、ミスト用給水路５のミスト用熱交換器４２の下流側にはミスト用の温水の温度を計測するサーミスタ等からなるミスト温度センサーＳ３が設けてあり、計測した温度は制御部にて認識される。
【００１９】
上記のようなミストサウナ装置の動作について説明する。ミストサウナ装置の運転は、温風暖房装置３０による暖房運転である温風吐出運転と、ミスト噴霧装置４によるミスト状の温水を噴霧するミスト噴霧運転とがある。また、このミストサウナ装置の熱源機１を用いた運転として、床暖房等の暖房端末による暖房運転がある。また更に温風暖房装置３０では、吸入した空気を温風とせずにそのまま浴室Ｂ内に吐出する涼風運転と、吸入した空気をそのまま浴室Ｂ外に吐出する換気運転とが可能となっているが、いずれも熱媒を必要とするものではなく、説明を省略する。
【００２０】
ユーザーが一般に行う運転は主に、上記温風吐出運転とミスト噴霧運転とを行うミストサウナ運転と、温風吐出運転である暖房運転と、温風吐出運転と換気運転とを行う乾燥運転とがあり、更に、上記した温風吐出運転、ミスト噴霧運転とも行わないものの熱源機１を使用して暖房端末を使用する暖房端末運転があり、以下に説明する。
【００２１】
ミストサウナ運転は、図３に示すように、リモコンＲの「ミストサウナ」スイッチを入力すると、制御部によりルーバーが回動されて吐出口７２が開くと共に熱源機１が作動する。なお、熱源機１が常に高温の熱媒を供給可能となっている場合には特に作動開始する必要はない。そして給水弁５１が開くと共にミスト用制御弁４１が開き、ミスト用熱交換器４２に高温の熱媒を供給してミスト噴霧待機状態となる。ここで、前回のミストサウナ運転停止から所定時間ｔ１（例えば１時間）以上経過している場合には、排水弁６１を開いてミスト用給水路５内の残水を排出するパージ運転を所定時間ｔ２（例えば３０秒間）行った後、排水弁６１を閉じる。
【００２２】
所定時間ｔ３（例えば１〜２分）経過後、温風用制御弁３１ａが開いて温風用熱交換器３２ａに高温の熱媒が供給される。
【００２３】
熱媒温度センサーＳ２が所定温度Ｔ１（例えば６０℃）以上を計測すると、循環ファン７３が作動し、吸入口７１から吸入した空気を温風用熱交換器３２ａにて加熱して温風とし、吐出口７２のルーバーから浴室Ｂ内に吐出される。
【００２４】
浴室温度センサーＳ１が所定温度Ｔ２（例えば２４℃）以上を計測すると共に熱媒温度センサーＳ２が所定温度Ｔ３（例えば６０℃）以上を計測すると、ノズル弁５２が開いてミスト用給水路５内のミスト用熱交換器４２にて加熱されて温水がミストノズル５３から噴霧され、ミストサウナが形成される。また、弱いミストサウナを形成する場合には、リモコンＲへ入力することで一方のノズル弁５２が閉じてもう一方のミストノズル５３のみからの噴霧となる。
【００２５】
この運転中は、循環ファン７３の回転の制御、あるいは、循環ファン７３の回転の制御及び噴霧する温水温度の制御によって浴室Ｂ温度を一定に維持する。
【００２６】
そして、リモコンＲの「停止」スイッチを入力すると（あるいは切タイマーを設定している場合に切タイマーが計時終了すると）、温風用制御弁３１ａ、ミスト用制御弁４１、給水弁５１、ノズル弁５２が閉じると共に吐出口７２のルーバーが閉じ、熱源機１、循環ファン７３が停止して運転停止となる。
【００２７】
次に、暖房運転について説明する。暖房運転は、図４に示すように、リモコンＲの「暖房」スイッチを入力すると、制御部によりルーバーが回動されて吐出口７２が開くと共に熱源機１が作動する。
【００２８】
所定時間ｔ３（例えば１〜２分）経過後、温風用制御弁３１ａが開いて温風用熱交換器３２ａに高温の熱媒が供給される。
【００２９】
熱媒温度センサーＳ２が所定温度Ｔ１（例えば６０℃）以上を計測すると、循環ファン７３が作動し、吸入口７１から吸入した空気を温風用熱交換器３２ａにて加熱して温風とし、吐出口７２のルーバーから浴室Ｂ内に吐出される。この運転中は、循環ファン７３の回転の制御によって浴室Ｂ温度を一定に維持する。
【００３０】
そして、リモコンＲの「停止」スイッチを入力すると、温風用制御弁３１ａが閉じると共に吐出口７２のルーバーが閉じ、熱源機１、循環ファン７３が停止して運転停止となる。
【００３１】
そしてこの時、図５に示すように運転中に熱媒温度センサーＳ２が所定温度Ｔ４（例えば６０℃）以上を計測すると、排水弁６１を開いてミスト用給水路５を開放し、熱媒温度センサーＳ２が所定温度Ｔ４以下を計測すると、排水弁６１を閉じるものである
これは、暖房運転の際、仮にミスト用制御弁４１が開故障しているとすると、熱源機１にて加熱された熱媒は温風用熱媒流路２１ａのみならずミスト用熱媒流路２２にも流れることとなり、給水弁５１、ノズル弁５２が閉じているため排水弁６１が閉じてあるとミスト用給水路５のミスト用熱交換器４２を配設した部分は密閉された状態となり、この密閉された部分に充満している水が熱媒により加熱されて膨張して高圧となり、ノズル弁５２が開かないといった動作不良やこれに伴うミスト噴霧不良、更に弁や配管、配管継手を破損してしまう惧れがある。そこで本発明においては、この暖房運転のようにミスト噴霧運転を行わず温風吐出運転のみを行う際、熱媒温度センサーＳ２にて熱媒が所定温度Ｔ４以上であることを計測すると、給水弁５１及びノズル弁５２が閉じた状態で排水弁６１を開くことでミスト用給水路５を開放し、膨張した水がミスト用排水路６から逃げることができて圧抜きが行われ、ノズル弁５２が開かないといった動作不良やこれに伴うミスト噴霧不良、更に前記弁等の破損を防止することができ、また消費電力を抑えることができるものである。
【００３２】
次に、乾燥運転について説明する。乾燥運転は、図６に示すように、リモコンＲの「乾燥」スイッチを入力すると、制御部によりルーバーが回動されて吐出口７２が開くと共に循環ファン７３及び換気ファン８２が作動し、熱源機１が作動する。
【００３３】
所定時間ｔ３（例えば１〜２分）経過後、温風用制御弁３１ａが開いて温風用熱交換器３２ａに高温の熱媒が供給される。これにより、吸入口７１から吸入した浴室Ｂ内の空気の一部は温風用熱交換器３２ａにて加熱されて温風として浴室Ｂ内に吐出され、残りは加熱されることなく排出口８１より排出されることとなり、浴室Ｂ内の温度が上昇すると共に湿気を多く含んだ空気を浴室Ｂ外に排気して相対湿度を低下させて衣類等の乾燥を行うことができる。
【００３４】
またこの運転中は、温風用制御弁３１ａを制御して浴室Ｂ温度を一定に維持するもので、例えば浴室温度センサーＳ１の温度が所定温度（例えば５０℃）以上となると、温風用制御弁３１ａを閉じて熱媒の供給を停止し、浴室温度センサーＳ１の温度が所定温度（例えば４５℃）以下となると、温風用制御弁３１ａを開いて熱媒を供給して空気を加熱したりするものである。
【００３５】
そして、リモコンＲの「停止」スイッチを入力すると、温風用制御弁３１ａが閉じると共に吐出口７２のルーバーが閉じ、熱源機１、循環ファン７３、換気ファン８２が停止して運転停止となる。
【００３６】
この乾燥運転においても上記暖房運転と同様に、図５に示すように運転中に熱媒温度センサーＳ２が所定温度Ｔ４（例えば６０℃）以上を計測すると、排水弁６１を開いてミスト用給水路５を開放し、熱媒温度センサーＳ２が所定温度Ｔ４以下を計測すると、排水弁６１を閉じるものである。すなわち、乾燥運転の際、仮にミスト用制御弁４１が開故障しているとすると、熱源機１にて加熱された熱媒は温風用熱媒流路２１ａのみならずミスト用熱媒流路２２にも流れることとなり、給水弁５１、ノズル弁５２が閉じているため排水弁６１が閉じてあるとミスト用給水路５のミスト用熱交換器４２を配設した部分は密閉された状態となり、この密閉された部分に充満している水が熱媒により加熱されて膨張して高圧となり、ノズル弁５２が開かないといった動作不良やこれに伴うミスト噴霧不良、更に弁や配管、配管継手を破損してしまう惧れがある。そこで、熱媒温度センサーＳ２にて熱媒が所定温度Ｔ４以上であることを計測した時に排水弁６１を開くことで、ミスト用給水路５を開放して膨張した水がミスト用排水路６から逃げることができて圧抜きが行われ、ノズル弁５２が開かないといった動作不良やこれに伴うミスト噴霧不良、弁等の破損を防止することができ、また消費電力を抑えることができるものである。
【００３７】
また、上述した暖房運転・乾燥運転の際、ミスト用制御弁４１が開故障しておらず正常に作動して閉じている場合には、熱源機１にて加熱されて高温となった熱媒はミスト用熱媒流路２２に流れることはないため、水がミスト用給水路５に充満していてもミスト用熱交換器４２にて加熱されることはなく排水弁６１を開く必要はないが、開いても問題は勿論ないためミスト用制御弁４１の開故障に備えて上記温度条件によって開くのが好ましい。
【００３８】
次に、暖房端末運転であるが、これは床暖房等の暖房端末を使用しようとする際、熱源機１が作動すると共に暖房端末用制御弁３１ｂが開き、暖房端末用熱媒流路２１ｂに熱媒が供給されて暖房端末の放熱器にて暖房が行われる。そして、停止を入力すると暖房端末用制御弁３１ｂが閉じて熱源機１が停止する。
【００３９】
この暖房端末運転においても同様に、図５に示すように運転中に熱媒温度センサーＳ２が所定温度Ｔ４（例えば６０℃）以上を計測すると、排水弁６１を開いてミスト用給水路５を開放し、熱媒温度センサーＳ２が所定温度Ｔ４以下を計測すると、排水弁６１を閉じる。すなわち、暖房端末運転の際、仮にミスト用制御弁４１が開故障しているとすると、熱源機１にて加熱された熱媒は暖房端末用熱媒流路２１ｂのみならずミスト用熱媒流路２２にも流れることとなり、ミスト用給水路５の密閉された部分に充満している水が熱媒により加熱・膨張してノズル弁５２が開かないといった動作不良やこれに伴うミスト噴霧不良、更に弁や配管、配管継手を破損してしまう惧れがある。この場合にはミスト用熱媒流路２２に熱媒が流れるため熱媒温度センサーＳ２にて熱媒が所定温度Ｔ４以上であることが計測される。そこで所定温度Ｔ４以上が計測された時に排水弁６１を開くことで、暖房運転と同様にミスト用制御弁４１が開故障していても排水弁６１を開いて圧抜きが行われ、加圧によりノズル弁５２が開かないといった動作不良やこれに伴うミスト噴霧不良、弁等の破損を防止することができる。
【００４０】
また、暖房端末運転のみを行ってミストサウナ装置による運転を行っていない場合に、ミスト用制御弁４１が開故障しておらず正常に作動して閉じている場合には、熱源機１にて加熱された熱媒は温風用熱媒流路２１ａ及びミスト用熱媒流路２２ともに流れることはないため熱媒温度センサーＳ２が所定温度Ｔ４以上を計測することはなく、排水弁６１は閉じられたままとなるが、高温の熱媒がミスト用熱媒流路２２に流れることがなく水がミスト用給水路５に充満していてもミスト用熱交換器４２にて加熱・膨張しないため、何ら問題はない。
【００４１】
つまり、ミスト用制御弁４１が開故障しておらず正常に作動して閉じている場合には、熱媒温度センサーＳ２にて所定温度Ｔ４以上が計測されて排水弁６１が開となっても、熱媒温度センサーＳ２にて所定温度Ｔ４以上が計測されず排水弁６１が閉となったままでも、ミスト用熱媒流路２２に高温の熱媒が流れないため問題はないものである。
【００４２】
また、上述したような種々の暖房運転において、図５に示すように熱媒温度センサーＳ２が所定温度Ｔ４を計測すると直ちに排水弁６１を開くところを、熱媒温度センサーＳ２が所定温度Ｔ４を所定時間（例えば２分）継続して計測した時点で排水弁６１を開くようにしてもよく、これにより、より一層消費電力を抑えることができるものである。
【００４３】
また更に、熱媒温度センサーＳ２が所定温度Ｔ４を計測して直ちに又は所定温度Ｔ４を所定時間継続して計測した時点で排水弁６１を開く場合、排水弁６１を開いておく時間は所定時間（例えば６０秒）とし、前記所定時間経過後に排水弁６１を閉じるようにしてもよい。前記所定時間は、ミスト用給水路５内に充満している水を排水するのに要する時間に設定するもので、実際には６０秒程度で排水できることが確認されている。これにより、更により一層消費電力を抑えることができる。
【００４４】
以上述べた運転においては、熱媒温度センサーＳ２にて所定温度Ｔ４以上が計測された時に排水弁６１を開くものであるが、ミスト噴霧運転をする時以外に排水弁６１を開いておくようにしてもよい。
【００４５】
つまり、ミスト噴霧運転をする際には、排水弁６１を閉じると共に給水弁５１・ノズル弁５２を開いてミストノズル５３からミストを噴霧しており、ミスト用給水路５内の水の膨張によるノズル弁５２が開かないといった動作不良やこれに伴うミスト噴霧不良、更に弁、配管、配管継手の破損といったことはない。このため、ミスト噴霧運転以外の時に排水弁６１を開くことで、ミスト用給水路５のミスト用熱交換器４２を設けた部分は常に開放された状態となるため、仮にミスト用制御弁４１が開故障していても問題ないものであり、正常に作動して閉じている場合でも問題ないものである。
【００４６】
次に、他の実施形態について説明する。上実施形態においては図１及び上記において説明したように、ミストサウナ装置とは別の床暖房等の暖房端末と熱源機１を共用するものであったが、本実施形態ではミストサウナ装置とは別の暖房端末と熱源機１を共用するのではなく、熱源機１はミストサウナ装置専用としている。熱媒の配管は図１に示す熱媒流路２から暖房端末用熱媒流路２１ｂが分岐されず、熱源機１からの熱媒は温風用熱媒流路２１ａかミスト用熱媒流路２２のいずれか（又は両方）に供給されるものである。
【００４７】
ユーザーが行う運転は、ミストサウナ運転、温風吐出運転である暖房運転、温風吐出運転と換気運転の熱源機１を使用する運転と、涼風運転、換気運転の熱源機１を使用しない運転とがあり、涼風運転、換気運転については説明を省略する。
【００４８】
ミストサウナ運転は、図３に示す上述した運転と同様であるため説明を省略する。
【００４９】
暖房運転について説明する。暖房運転は、図４に示す上述した運転と大体は同じであるが、リモコンＲの「暖房」スイッチを入力した際に、制御部によりルーバーが回動されて吐出口７２が開くと共に熱源機１が作動するのに加えて、排水弁６１が開くものである。
【００５０】
所定時間ｔ３（例えば１〜２分）経過後、温風用制御弁３１ａが開いて温風用熱交換器３２ａに高温の熱媒が供給される。
【００５１】
熱媒温度センサーＳ２が所定温度Ｔ１（例えば６０℃）以上を計測すると、循環ファン７３が作動し、吸入口７１から吸入した空気を温風用熱交換器３２ａにて加熱して温風とし、吐出口７２のルーバーから浴室Ｂ内に吐出される。この運転中は、循環ファン７３の回転の制御によって浴室Ｂ温度を一定に維持する。
【００５２】
そして、リモコンＲの「停止」スイッチを入力すると、温風用制御弁３１ａが閉じると共に吐出口７２のルーバーが閉じ、熱源機１、循環ファン７３が停止するのに加えて、排水弁６１を閉じるものである。
【００５３】
また、乾燥運転についても、図６に示す上述した運転と大体は同じであり、リモコンＲの「乾燥」スイッチを入力すると、制御部によりルーバーが回動されて吐出口７２が開くと共に循環ファン７３及び換気ファン８２が作動し、熱源機１が作動するのに加えて、排水弁６１が開くものである。
【００５４】
所定時間ｔ３（例えば１〜２分）経過後、温風用制御弁３１ａが開いて温風用熱交換器３２ａに高温の熱媒が供給され、相対湿度を低下させて衣類等の乾燥を行うことができる。またこの運転中は、温風用制御弁３１ａを制御して浴室Ｂ温度を一定に維持している。
【００５５】
そして、リモコンＲの「停止」スイッチを入力すると、温風用制御弁３１ａが閉じると共に吐出口７２のルーバーが閉じ、熱源機１、循環ファン７３、換気ファン８２が停止するのに加えて、排水弁６１を閉じるものである。
【００５６】
本実施形態においては、ミスト噴霧運転をしないで且つ熱源機１を使用する暖房運転（温風吐出運転）又は乾燥運転を行う時に排水弁６１を開いておくものである。これにより、仮にミスト用制御弁４１が開故障していても、熱源機１が作動する暖房運転又は乾燥運転の際には排水弁６１が開くため、ミスト用給水路５内の水がミスト用排水路６から逃げることができて圧抜きが行われ、ノズル弁５２が開かないといった動作不良やこれに伴うミスト噴霧不良、更に弁等の破損を防止することができるものである。
【図面の簡単な説明】
【００５７】
【図１】本発明の一実施形態の構成図である
【図２】浴室にミストサウナ装置を設けた状態の斜視図である。
【図３】ミストサウナ運転の一例のフローチャートである。
【図４】暖房運転の一例のフローチャートである。
【図５】同上におけるタイムチャートである。
【図６】乾燥運転の一例のフローチャートである。
【図７】従来のミストサウナ装置の構成図である
【符号の説明】
【００５８】
１    熱源機
２ａ  熱媒往路
２ｂ  熱媒復路
２１ａ  温風用熱媒流路
２２  ミスト用熱媒流路
３１ａ  温風用制御弁
３２ａ  温風用熱交換器
４１  ミスト用制御弁
４２  ミスト用熱交換器
５    ミスト用給水路
５１  給水弁
５２  ノズル弁
５３  ミストノズル
６    ミスト用排水路
６１  排水弁
Ｂ    浴室
【図１】
0004809647.tif 000002
【図２】
0004809647.tif 000003
【図３】
0004809647.tif 000004
【図４】
0004809647.tif 000005
【図５】
0004809647.tif 000006
【図６】
0004809647.tif 000007
【図７】
0004809647.tif 000008